Podtech/llm-jp-corpus-v4-ja_patent huggingface dataset:
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
凹形状をした加圧側外壁および凸形状をした吸引側外壁であり、前縁および後縁に沿って接続し、前記外壁の間に冷却剤の流れを受けるための半径方向に延びるチャンバを形成する、前記加圧側外壁および前記吸引側外壁によって画定されるエーロフォイルを備え、
前記エーロフォイルの前記チャンバを半径方向に延びる流路へと仕切るリブ構成
をさらに備え、
第１の流路は、タービュレータが上に設置される第１の面を含み、前記タービュレータの各々が傾斜した構成を備え、
前記傾斜した構成が、一定の半径方向の高さを有する前記第１の面上の基準線に対して傾斜する前記タービュレータの各々を備える、
前記タービュレータの前記傾斜した構成が、前記タービュレータの各々と前記基準線のうちの１つとの間に形成される少なくとも２０°の鋭角を含み、
前記第１の流路が、半径方向に広がる面によって画定され、前記第１の面に対向する第２の面、ならびに前記第１の面の横に並び、かつ前記第１の面に隣接して広がる２つの追加の面、第３の面および第４の面を含み、
前記タービュレータの各々が、細長く、急峻な面を持った突起を含み、
前記第１の面が、トラバースリブを含み、
前記トラバースリブおよび前記タービュレータが、前記エーロフォイルのカンバ線を通って延びるように構成される、
タービンブレード。
【請求項２】
前記タービュレータの前記傾斜した構成が、前記タービュレータの各々と前記基準線のうちの１つとの間に形成される少なくとも４０°の鋭角を含む、請求項１記載のタービンブレード。
【請求項３】
前記タービュレータの各々が、前記流路の前記第１の面の幅を横切って途切れずに延び、
前記第１の面が、前記第１の面の内側寄り端部と外側寄り端部との間に半径方向に間隔を空けて設置された少なくとも５つのタービュレータを備え、
前記タービュレータが、平行な構成を備える、
請求項１または２記載のタービンブレード。
【請求項４】
前記タービュレータの各々が、前記流路の前記第１の面の幅を部分的に横切って延び、
前記第１の面が、前記第１の面の内側寄り端部と外側寄り端部との間に半径方向に間隔を空けて設置された少なくとも５つのタービュレータを備え、
前記タービュレータが、平行な構成を備える、
請求項１乃至３のいずれかに記載のタービンブレード。
【請求項５】
前記タービュレータの各々が、前記第１の面を部分的に横切って延び、
前記第１の面が、前記第１の面の内側寄り端部の近くに設置された第１のタービュレータと前記第１の面の外側寄り端部の近くの第１０のタービュレータとの間に規則的な半径方向の間隔を含む少なくとも５つのタービュレータを備え、
前記タービュレータが、横方向に互い違いである、
請求項１乃至４のいずれかに記載のタービンブレード。
【請求項６】
前記第２の面が、前記第１の面上の前記タービュレータをほぼ鏡面反転するように構成されたタービュレータを備える、請求項１乃至５のいずれかに記載のタービンブレード。
【請求項７】
前記第２の面が、前記第１の面上の前記タービュレータのように構成されたタービュレータを備え、
前記第２の面上の前記タービュレータが、前記第１の面上の前記タービュレータと半径方向に互い違いになるように構成される、
請求項１乃至６のいずれかに記載のタービンブレード。
【請求項８】
前記第２の面が、一定の半径方向の高さを有する前記第２の面上の基準線に対して傾斜するタービュレータを備え、
前記第２の面上の前記タービュレータが、細長く、急峻な面を持った突起をそれぞれ含み、
前記第２の面上の前記タービュレータの前記傾斜した構成が、前記タービュレータの各々と前記基準線のうちの１つとの間に形成される少なくとも２０°の鋭角を含む、
請求項１乃至７のいずれかに記載のタービンブレード。
【請求項９】
前記第２の面が、傾斜した構成を有するタービュレータを備え、
前記第２の面上の前記タービュレータは、少なくとも２０°の鋭角が前記タービュレータの各々と前記第２の面上の基準線のうちの１つとの間に形成されるように、一定の半径方向の高さを有する前記第２の面上の前記基準線に対して傾斜し、
前記第２の面が、前記第２の面の内側寄り端部と外側寄り端部との間に半径方向に間隔を空けて設置された少なくとも５つのタービュレータを備え、
前記第２の面の前記タービュレータが、平行な構成を備える、
請求項１乃至８のいずれかに記載のタービンブレード。
【請求項１０】
前記第１の面および前記第２の面の前記タービュレータが、半径方向に互い違いである、請求項９記載のタービンブレード。
【請求項１１】
前記第３の面が、傾斜した構成を有するタービュレータを備え、
前記第３の面上の前記タービュレータは、少なくとも２０°の鋭角が前記タービュレータの各々と前記第３の面上の基準線のうちの１つとの間に形成されるように、一定の半径方向の高さを有する前記第３の面上の前記基準線に対して傾斜する、
請求項１乃至１０のいずれかに記載のタービンブレード。
【請求項１２】
前記第３の面が、前記第３の面の内側寄り端部と外側寄り端部との間に半径方向に間隔を空けて設置された少なくとも５つのタービュレータを備え、
前記第３の面の前記タービュレータが、平行な構成を備え、
前記第１の面および前記第３の面の前記タービュレータが、半径方向に互い違いである、
請求項１１記載のタービンブレード。
【請求項１３】
前記第２の面、前記第３の面、および前記第４の面が、傾斜した構成を有するタービュレータを備え、
前記第２の面上の前記タービュレータは、少なくとも２０°の鋭角が前記タービュレータの各々と前記第２の面上の基準線のうちの１つとの間に形成されるように、一定の半径方向の高さを有する前記第２の面上の前記基準線に対して傾斜し、
前記第３の面上の前記タービュレータは、少なくとも２０°の鋭角が前記タービュレータの各々と前記第３の面上の基準線のうちの１つとの間に形成されるように、一定の半径方向の高さを有する前記第３の面上の前記基準線に対して傾斜し、
前記第４の面上の前記タービュレータは、少なくとも２０°の鋭角が前記タービュレータの各々と前記第４の面上の基準線のうちの１つとの間に形成されるように、一定の半径方向の高さを有する前記第４の面上の前記基準線に対して傾斜する、
請求項１乃至１２のいずれかに記載のタービンブレード。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
外壁によって画成されたエアフォイル（２５）を含むタービン翼であって、前記エアフォイル（２５）内では凹形の腹側外壁（２６）と凸形の背側外壁（２７）とが前縁部（２８）と後縁部（２９）に沿って連結し、その間にクーラント流を受ける半径方向に延在するチャンバを形成しており、前記タービン翼は、
前記チャンバを半径方向に延在する流路に仕切るリブ構成を含み、
前記リブ構成は、半径方向に延在する前記流路のうちの１つの向こう側の目的表面（８５）に対向する波形輪郭を有するリブ（６０）を含み、
前記リブ（６０）の前記波形輪郭は、前記目的表面（８５）に対して相対的な隆起部分（９２）とくぼみ部分（９３）とを含み、
前記リブ（６０）は、前記隆起部分（９２）を貫通して形成されたインピンジ開口（８７）を含み、
半径方向に延在する前記流路のうちの１つは壁近傍流路を含み、
前記リブ（６０）は、前記エアフォイル（２５）の前記外壁のうちの１つに沿って延在する反り線リブ（６２）を含んでこの前記外壁との間に前記壁近傍流れチャンバを画成し、
前記目的表面（８５）は、前記エアフォイル（２５）の前記外壁のうちの１つの内表面を含み、
前記隆起部分（９２）および前記くぼみ部分（９３）は前記反り線リブ（６２）の連続区分を含み、
前記反り線リブ（６２）の前記波形輪郭は正弦曲線の構成を含み、ここで前記隆起部分（９２）は前記目的表面（８５）に向けて弧を描く前記反り線リブ（６２）の区分を含み、前記くぼみ部分（９３）は前記目的表面（８５）から離れるように弧を描く区分を含み、
前記くぼみ部分（９３）は凹区分を含み、前記隆起部分（９２）は各区分の前記目的表面（８５）への近接に対して相対的に隆起する区分を含み、
前記隆起部分（９２）は前記目的表面（８５）に対し凸面を向け、前記くぼみ部分（９３）は前記目的表面（８５）に対し凹面を向け、
前記隆起部分（９２）は前記凸面が前記目的表面（８５）に近接しているように構成され、
前記隆起部分（９２）の前記凸面は前記目的表面（８５）に最接近する点としての頂上を含み、前記隆起部分（９２）の前記頂上は半径方向に延在する長手方向軸線を含み、
前記インピンジ開口（８７）は隆起部に２つの平行な列を含み、前記２つの列は、前記隆起部分（９２）の前記頂上の前記長手方向軸線の両側で互いに対してオフセットしており、
前記２つの列それぞれの前記インピンジ開口（８７）は一定間隔で半径方向に離間しており、
前記２つの列の前記インピンジ開口（８７）の配置は、前記２つの列のうちの第１におけるインピンジ開口（８７）の位置が、前記２つの列のうちの第２における対応する対のインピンジ開口（８７）の位置に対して相対的にだいたい中間点になるような、互い違いのアラインメントを含む、タービン翼。
【請求項２】
前記反り線リブ（６２）の前記波形輪郭は、前記エアフォイル（２５）の横断面視での前記反り線リブ（６２）の形状を含み、
前記インピンジ開口（８７）はそれぞれ、圧縮クーラント流を衝突させ、得られたクーラント噴流を前記目的表面（８５）に対し方向付けるように構成されている、請求項１に記載のタービン翼。
【請求項３】
前記反り線リブ（６２）の前記壁近傍流路とは反対の側に、中央流路が形成され、
クーラント供給および前記タービン翼内に構成された冷却回路に対して相対的に、前記中央流路は、前記壁近傍流路に対して相対的に上流の位置を含み、
前記中央流路は、前記中央流路内に導入された圧縮供給クーラントを、前記冷却回路を通じて前記インピンジ開口（８７）に送達するように構成されている、請求項１または２に記載のタービン翼。
【請求項４】
前記反り線リブ（６２）の前記波形輪郭は少なくとも１つの往復する「Ｓ」字形状を含み、
前記タービン翼はタービン動翼を含む、請求項３に記載のタービン翼。
【請求項５】
前記隆起部分（９２）の前記凸面は前記目的表面（８５）に最接近する点としての頂上を含み、
前記インピンジ開口（８７）は前記隆起部分（９２）の前記凸面の前記頂上に沿って整列されている、請求項１乃至４のいずかに記載のタービン翼。
【請求項６】
前記反り線リブ（６２）は前記腹側外壁（２６）に沿ってその近くに延在する腹側反り線リブ（６３）を含み、
前記目的表面（８５）は前記エアフォイル（２５）の前記腹側外壁（２６）の内表面を含む、請求項１乃至５のいずかに記載のタービン翼。
【請求項７】
前記反り線リブ（６２）は前記背側外壁（２７）に沿ってその近くに延在する背側反り線リブ（６４）を含み、
前記目的表面（８５）は前記エアフォイル（２５）の前記背側外壁（２７）の内表面を含む、請求項１乃至６のいずかに記載のタービン翼。
【請求項８】
前記リブ構成は、前記腹側外壁（２６）に沿って延在し、この外壁との間に第１の壁近傍流れチャンバを形成する腹側反り線リブ（６３）と、前記背側外壁（２７）に沿って延在し、この外壁との間に第２の壁近傍流れチャンバを形成する背側反り線リブ（６４）の、２つの反り線リブ（６２）を含み、
前記腹側反り線リブ（６３）と前記背側反り線リブ（６４）はどちらも、前記隆起部分（９２）と前記くぼみ部分（９３）とを含む前記波形輪郭を含み、
前記反り線リブ（６２）それぞれの前記隆起部分（９２）は、それを貫通して形成された１列の半径方向に離間したインピンジ開口（８７）を含み、
前記第１の壁近傍流路の向こう側の前記目的表面（８５）は前記腹側外壁（２６）を含み、前記第２の壁近傍流路の向こう側の前記目的表面（８５）は前記背側外壁（２７）を含む、請求項１乃至７のいずかに記載のタービン翼。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
凹形の加圧側外壁および凸形の吸引側外壁によって画定されたエーロフォイルを備えるタービン翼であって、前記凹形の加圧側外壁と前記凸形の吸引側外壁とが、前縁および後縁に沿って接続されて、その間に、冷媒の流れを受け取るための半径方向に延在するチャンバを形成し、前記タービン翼が、
前記チャンバを、半径方向に延在する流路に分割するリブ構成と、
前記エーロフォイルの外面を画定する翼外殻とをさらに備え、
前記リブ構成が、製造中に翼外殻に挿入され得る一体化されていない構成要素を備え、
前記リブ構成が、波状プロファイルを有するカンバ線リブを含み、
前記波状プロファイルが少なくとも１つの、行ったり来たりする「Ｓ」字形を含み、
タービン翼。
【請求項２】
前記リブ構成が第１の材料で一体化して形成された構成要素であり、
前記翼外殻が第２の材料で作製され、一体化して形成された構成要素である請求項１記載のタービン翼。
【請求項３】
前記タービン翼がタービン動翼およびタービン静翼のうちの１つを備える請求項２記載のタービン翼。
【請求項４】
前記波状プロファイルが少なくとも２つの連続して行ったり来たりする「Ｓ」字形を含み、
前記タービン翼がタービン動翼を備える請求項３記載のタービン翼。
【請求項５】
波状プロファイルを有するカンバ線リブは、前記エーロフォイルの前記前縁の近くで始まり、前記エーロフォイルの前記後縁の方へ延在する円弧状の経路にわたって行ったり来たり蛇行するカンバ線リブを備え、前記円弧状の経路が、前記エーロフォイルのカンバ基準線に対してほぼ平行であり、
前記カンバ線リブの前記円弧状の経路が、前記エーロフォイルの前記カンバ基準線の長さの少なくとも５０％の長さを含む請求項３記載のタービン翼。
【請求項６】
前記リブ構成は、加圧側カンバ線リブが加圧側外壁の近くにあるカンバ線リブを備え、吸引側カンバ線リブが吸引側外壁の近くにあるカンバ線リブを備える２つのカンバ線リブを含み、前記加圧側カンバ線リブと前記吸引側カンバ線リブとが、どちらも波状プロファイルを含み、
前記加圧側カンバ線リブと前記吸引側カンバ線リブとが、その間に中心流路を画定し、
前記加圧側カンバ線リブおよび前記吸引側カンバ線リブのそれぞれの波状プロファイルが、前記中央の流路に関連して、第１の凹形のセグメントが第２の凸形のセグメントに移行する少なくとも２つの連続したセグメントを含んでいる波状プロファイルを含む請求項５記載のタービン翼。
【請求項７】
前記リブ構成が横リブを備え、
前記横リブが、カンバ線リブから延在し、前記翼外殻に接続する遠位端において面を含む請求項４記載のタービン翼。
【請求項８】
前記第１の材料が第１のタイプの合金を含み、前記第２の材料が第２のタイプの合金を含む請求項３記載のタービン翼。
【請求項９】
前記第１の材料が合金を含み、前記第２の材料がセラミックを含む請求項３記載のタービン翼。
【請求項１０】
前記第１の材料がセラミックを含み、前記第２の材料が合金を含む請求項３記載のタービン翼。
【請求項１１】
前記第１の材料が第１のタイプのセラミックを含み、前記第２の材料が第２のタイプのセラミックを含む請求項３記載のタービン翼。
【請求項１２】
前記第１の材料および前記第２の材料が、それぞれの熱膨張特性に基づいて選択されている請求項３記載のタービン翼。
【請求項１３】
前記リブ構成と前記翼外殻の間でなされた接続が溶接を含む請求項４記載のタービン翼。
【請求項１４】
前記リブ構成と前記翼外殻の間でなされた接続が機械的締りはめを含む請求項４記載のタービン翼。
【請求項１５】
前記翼外殻が、エーロフォイルが延在するプラットフォームを含む翼付け根を含み、
前記翼外殻が前記翼付け根の内側の面に開口を備え、前記開口は、製造中に前記リブ構成が前記開口を通って挿入され得るように構成されている請求項４記載のタービン翼。
【請求項１６】
凹形の加圧側外壁と凸形の吸引側外壁とによって画定されたエーロフォイルを含むタービン翼を製造する方法であって、前記凹形の加圧側外壁と前記凸形の吸引側外壁とが、前縁および後縁に沿って接続され、その間に、冷媒の流れを受け取るための半径方向に延在するチャンバを形成し、前記方法が、
それぞれが一体化して形成された構成要素を備える翼外殻およびリブ挿入物を別個に形成するステップであって、前記翼外殻が開口を含み、前記リブ挿入物が装着中に前記開口を通して挿入されるステップと、
前記リブ挿入物を、前記開口を通して挿入して、前記翼外殻の内面に取り付けるステップとを含み、
前記リブ挿入物が、前記エーロフォイルの前記チャンバを、半径方向に延在する流路に分割する構成を備え、また、波状プロファイルを有するカンバ線リブを含む方法。
【請求項１７】
波状プロファイルを有する前記カンバ線リブが、前記エーロフォイルの前記前縁の近くで始まり、前記エーロフォイルの前記後縁の方へ延在する円弧状の経路にわたって行ったり来たり蛇行するカンバ線リブを備え、前記円弧状の経路が、前記エーロフォイルのカンバ基準線に対してほぼ平行であり、前記波状プロファイルが少なくとも１つの行ったり来たりする「Ｓ」字形を含み、
前記カンバ線リブの前記円弧状の経路が、前記エーロフォイルの前記カンバ基準線の長さの少なくとも５０％の長さを含み、
前記タービン翼がタービン動翼を備え、
前記リブ挿入物が横リブを備え、
前記横リブが、前記カンバ線リブから延在し、遠位端において面を含み、前記翼外殻に前記リブ挿入物を取り付けるステップが、前記エーロフォイルの前記チャンバの内面に前記リブ挿入物の前記遠位端の面を接続するステップを含み、
前記リブ挿入物が第１の材料を含み、前記翼外殻が前記第１の材料とは異なる第２の材料を含み、
前記第１の材料が、第１のタイプの合金、第２のタイプの合金、第１のタイプのセラミック、および第２のタイプのセラミックのうちの１つを含み、
前記第２の材料が、第１のタイプの合金、第２のタイプの合金、第１のタイプのセラミック、および第２のタイプのセラミックのうちの１つを含み、
前記第１の材料および前記第２の材料を、それぞれの互いに対する熱膨張特性に基づき選択するステップをさらに含む請求項１６記載の方法。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ガスタービン・エンジン（１０）のタービン・ノズル（８０）であって、
第１のノズル・ベーン（１０２）と、
第２のノズル・ベーン（１０４）と、
前記第１のノズル・ベーン（１０２）と前記第２のノズル・ベーン（１０４）を連結するプラットフォームであって、第１及び第２の冷却通路（１１２、１１４）が互いに流体連通しないように前記第１の冷却通路（１１２）と、それとは別の前記第２の冷却通路（１１４）が内部に画定されている、プラットフォームとを含み、
前記第１の冷却通路（１１２）が、前記第１のノズル・ベーン（１０２）内に画定された第１の冷却キャビティ（１２２）と流体連通し、
前記第２の冷却通路（１１４）が、前記第２のノズル・ベーン（１０４）内に画定された第２の冷却キャビティ（１２４）と流体連通し、
前記第１及び第２の冷却通路（１１２、１１４）が、軸方向又は半径方向で、少なくとも部分的に互いに重なっており、
前記第１の冷却通路（１１２）は冷却流体の第１の流れ（１３２）を第１の方向に誘導するように構成され、
前記第２の冷却通路（１１４）は冷却流体の第２の流れ（１３４）を前記第１の方向とはほぼ逆の第２の方向に誘導するように構成されている、
タービン・ノズル（８０）。
【請求項２】
前記第１の冷却通路（１１２）と前記第２の冷却通路（１１４）が少なくとも部分的に互いにかみ合っている、請求項１に記載のタービン・ノズル（８０）。
【請求項３】
前記第１の冷却通路（１１２）と前記第２の冷却通路（１１４）が半径方向で、少なくとも部分的に互いに重なっている、請求項１に記載のタービン・ノズル（８０）。
【請求項４】
前記第１の冷却通路（１１２）と前記第２の冷却通路（１１４）が軸方向で、少なくとも部分的に互いに重なっている、請求項１に記載のタービン・ノズル（８０）。
【請求項５】
前記第１の冷却通路（１１２）と前記第２の冷却通路（１１４）が少なくとも部分的に互いに絡み合っている、請求項１に記載のタービン・ノズル（８０）。
【請求項６】
前記第１の冷却通路（１１２）と前記第２の冷却通路（１１４）が前記プラットフォームの高温ガス経路の表面付近に配置されている、請求項１乃至５のいずれかに記載のタービン・ノズル（８０）。
【請求項７】
前記第１の冷却通路（１１２）と前記第２の冷却通路（１１４）が前記プラットフォームの前縁部付近に配置されている、請求項１乃至６のいずれかに記載のタービン・ノズル（８０）。
【請求項８】
前記第１の冷却通路（１１２）と前記第２の冷却通路（１１４）が、前記第１のノズル・ベーン（１０２）の負圧面側と前記第２のノズル・ベーン（１０４）の正圧面側、つまり前記第１のノズル・ベーン（１０２）と前記第２のノズル・ベーン（１０４）の間に配置されている、請求項１乃至７のいずれかに記載のタービン・ノズル（８０）。
【請求項９】
前記第１の冷却通路（１１２）が前記冷却流体の第１の流れ（１３２）を前記第２のノズル・ベーン（１０４）に向けて前記第１の方向に誘導するように構成され、前記第２の冷却通路（１１４）が前記冷却流体の第２の流れ（１３４）を前記第１のノズル・ベーン（１０２）に向けて前記第２の方向に誘導するように構成されている、請求項１乃至８のいずれかに記載のタービン・ノズル（８０）。
【請求項１０】
前記第１の冷却通路（１１２）が前記冷却流体の第１の流れ（１３２）を前記プラットフォームの前縁部に向けて前記第１の方向に誘導するように構成され、前記第２の冷却通路（１１４）が前記冷却流体の第２の流れ（１３４）を前記プラットフォームの後縁部に向けて前記第２の方向に誘導するように構成されている、請求項１乃至９のいずれかに記載のタービン・ノズル（８０）。
【請求項１１】
前記第１の冷却通路（１１２）が前記冷却流体の第１の流れ（１３２）を前記プラットフォームの高温ガス経路の表面に沿って排気するように構成され、前記第２の冷却通路（１１４）が前記冷却流体の第２の流れ（１３４）を前記プラットフォームの前記高温ガス経路の表面に沿って排気するように構成されている、請求項１乃至１０のいずれかに記載のタービン・ノズル（８０）。
【請求項１２】
前記第１の冷却通路（１１２）が前記冷却流体の第１の流れ（１３２）を前記プラットフォームの縁部に沿って排気するように構成され、前記第２の冷却通路（１１４）が前記冷却流体の第２の流れ（１３４）を前記プラットフォームの高温ガス経路の表面に沿って排気するように構成されている、請求項１乃至１１のいずれかに記載のタービン・ノズル（８０）。
【請求項１３】
前記プラットフォームが内側プラットフォームであり、前記第１の冷却通路（１１２）と前記第２の冷却通路（１１４）は前記内側プラットフォームの半径方向外表面付近に配置されている、請求項１乃至１２のいずれかに記載のタービン・ノズル（８０）。
【請求項１４】
前記プラットフォームが外側プラットフォームであり、前記第１の冷却通路（１１２）と前記第２の冷却通路（１１４）は前記外側プラットフォームの半径方向内表面付近に配置されている、請求項１乃至１３のいずれかに記載のタービン・ノズル（８０）。
【請求項１５】
ガスタービン・エンジン（１０）のタービン・ノズル（８０）を冷却する方法であって、
第１のノズル・ベーン（１０２）と、第２のノズル・ベーン（１０４）と、前記第１のノズル・ベーン（１０２）と前記第２のノズル・ベーン（１０４）を連結するプラットフォームとを含むタービン・ノズル（８０）を設けることであって、前記プラットフォーム内には第１及び第２の冷却通路（１１２、１１４）が互いに流体連通しないように前記第１の冷却通路（１１２）と、それとは別の前記第２の冷却通路（１１４）とが画定されている、設けることと、
冷却流体の第１の流れ（１３２）を第１の冷却通路（１１２）内で第１の方向に送ることと、
冷却流体の第２の流れ（１３４）を第２の冷却通路（１１４）内で前記第１の方向とはほぼ逆の第２の方向に送ることとを含み、
前記第１の冷却通路（１１２）が、前記第１のノズル・ベーン（１０２）内に画定された第１の冷却キャビティ（１２２）と流体連通し、
前記第２の冷却通路（１１４）が、前記第２のノズル・ベーン（１０４）内に画定された第２の冷却キャビティ（１２４）と流体連通し、
前記第１及び第２の冷却通路（１１２、１１４）が、軸方向又は半径方向で、少なくとも部分的に互いに重なっている、方法。
【請求項１６】
ガスタービン・エンジン（１０）であって、
圧縮機（１５）と、
前記圧縮機（１５）と連通した燃焼器（２５）と、
前記燃焼器（２５）と連通したタービン（４０）であって、周方向アレイとして配置された請求項１乃至１４のいずれかに記載の複数のタービン・ノズル（８０）を含む、
ガスタービン・エンジン（１０）。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
凹形状をした加圧側外壁および凸形状をした吸引側外壁であり、前縁および後縁に沿って接続し、前記外壁の間に冷却剤の流れを受けるための半径方向に延びるチャンバを形成する、加圧側外壁および吸引側外壁によって画定されるエーロフォイルを備えるタービンブレードであって、
第１の流路および第２の流路を含む半径方向に延びる流路へと前記チャンバを仕切るリブ構成と、
前記第１の流路内に形成された入口を前記第２の流路内に形成された出口へと流体接続する交差通路と
をさらに備え、
前記交差通路が前記第２の流路に対して傾斜した構成を含み、
前記第２の流路は、前記交差通路の前記出口が形成される第１の面および前記交差通路が狙いを定める第２の面を含む半径方向に延びる面によって画定され、
前記第１の面および前記第２の面が、前記第２の流路の隣接する面を備え、
前記第１の面がカンバ線リブを含み、前記第２の面がトラバースリブを含む、
タービンブレード。
【請求項２】
前記傾斜した構成は、前記交差通路の中心軸が前記交差通路の前記出口を囲む表面に垂直な方向に対してある角度に向けられる構成を含む、請求項１記載のタービンブレード。
【請求項３】
前記傾斜した構成は、前記交差通路の前記中心軸および前記出口を囲む前記表面に垂直な前記方向が２０°よりも大きい鋭角を形成する構成を含む、請求項２記載のタービンブレード。
【請求項４】
前記交差通路がほぼ直線であり、
前記傾斜した構成は、前記交差通路が前記交差通路の前記出口を囲む表面に対してある角度に向けられる構成を含む、
請求項１記載のタービンブレード。
【請求項５】
前記傾斜した構成は、前記交差通路および前記交差通路の前記出口を囲む前記表面が７０°よりも小さい角度を形成する構成を含む、請求項４記載のタービンブレード。
【請求項６】
前記傾斜した構成は、前記交差通路および前記交差通路の前記出口の前記周囲の表面が５０°よりも小さい角度を形成する構成を含む、請求項４記載のタービンブレード。
【請求項７】
前記傾斜した構成は、前記交差通路が前記第２の流路の中心軸に対して接線方向に向けられる構成を含み、
前記交差通路が湾曲する、
請求項１乃至６のいずれかに記載のタービンブレード。
【請求項８】
前記交差通路の前記傾斜した構成が、半径方向傾きを含み、
前記傾斜した構成の前記半径方向傾きが、少なくとも２０°の角度を含む、請求項１乃至７のいずれかに記載のタービンブレード。
【請求項９】
前記交差通路が、湾曲したプロファイルを含む、請求項１乃至８のいずれかに記載のタービンブレード。
【請求項１０】
前記第２の流路が、前記第２の面に対向しかつ前記第１の面に隣接する第３の面を含み、
前記出口が、前記第３の面よりも前記第２の面に近い前記第１の面上の位置を含み、
前記交差通路は、湾曲が前記第１の面の方に向く湾曲したプロファイルを含む、
請求項１乃至９のいずれかに記載のタービンブレード。
【請求項１１】
前記第２の面が、タービュレータを含み、前記タービュレータが、急峻な面を有し、ほぼ半径方向に向いた細長い突起を含む、請求項１乃至１０のいずれかに記載のタービンブレード。
【請求項１２】
前記第１の面および前記第２の面のうちの一方が、波形プロファイルを有するカンバ線リブのセグメントを含み、
前記波形プロファイルが、少なくとも１つの前後への「Ｓ字」形状を有するプロファイルを含み、
前記タービンブレードが、タービン回転子ブレードを含み、
前記交差通路が、前記通路を通る加圧した冷却剤の流れを衝突させるように構成されたくびれ構成を含む、
請求項１乃至１１のいずれかに記載のタービンブレード。
【請求項１３】
凹形状をした加圧側外壁および凸形状をした吸引側外壁であり、前縁および後縁に沿って接続し、前記外壁の間に冷却剤の流れを受けるための半径方向に延びるチャンバを形成する、加圧側外壁および吸引側外壁によって画定されるエーロフォイルを備えるタービンブレードであって、
第１の流路および第２の流路を含む半径方向に延びる流路へと前記チャンバを仕切るリブ構成と、
前記第１の流路内に形成された入口を前記第２の流路内に形成された出口へと流体接続する交差通路と
をさらに備え、
前記交差通路が、前記第２の流路に対して傾斜し、
前記第２の流路は、前記交差通路の前記出口が形成される第１の面および前記交差通路が狙いを定める第２の面を含む半径方向に延びる面によって画定され、
前記第１の面および前記第２の面が、前記第２の流路の隣接する面を備え、
前記第１の面がトラバースリブを含み、前記第２の面がカンバ線リブを含む、
タービンブレード。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
前縁および後縁に沿って接続され、かつそれらの間に冷却材の流れを受け入れるための径方向に延びるチャンバを形成する、凹状正圧側外壁（２６）および凸状負圧側外壁（２７）によって画定されるエーロフォイル（２５）を備えたタービン翼であって、
前記タービン翼は、
前記チャンバを仕切りかつ第１側面および第２側面を有する流路（４０）を画定するリブ構成
をさらに備え、
前記流路（４０）は、前記第１側面に形成されたポート（５７）を含み、
前記ポート（５７）の中心軸線（５８）の流路（４０）を介する投射は、前記流路（４０）の第２側面上に打撃点を画定し、
前記流路（４０）の前記第２側面に、打撃点を包含するように後方打撃凹所（５６）が配置された、タービン翼。
【請求項２】
前記ポート（５７）は、前記流路（４０）の前記第１側面の表面に形成された口から前記エーロフォイル（２５）の外面に形成された出口まで延び、
前記流路（４０）は壁近傍流路を有し、
前記タービン翼はタービン動翼（１６）を備える、請求項１に記載のタービン翼。
【請求項３】
前記ポート（５７）は前記第１側面の表面に画定された口から前記第１側面内に延び、
前記後方打撃凹所（５６）は前記第２側面の表面に画定された口から前記第２側面内に延びる、請求項１または２に記載のタービン翼。
【請求項４】
前記後方打撃凹所（５６）の前記口は、前記ポート（５７）の前記口の断面積に相当する断面積を含む、請求項３に記載のタービン翼。
【請求項５】
前記後方打撃凹所（５６）の前記口は前記ポート（５７）の前記口の断面積より大きい断面積を含む、請求項３に記載のタービン翼。
【請求項６】
前記後方打撃凹所（５６）の前記口のプロファイルは前記ポート（５７）の前記口のプロファイルと同一形状を有するように構成された、請求項３に記載のタービン翼。
【請求項７】
前記後方打撃凹所（５６）は底を有する急斜面の陥凹を含み、前記底は湾曲した凹面形状を有し、
前記タービン翼はさらに、前記後方打撃凹所（５６）の周りに最小限のリブ（６０）厚さを維持するように構成されたバンプアウト（５９）を隣接流路に含む、請求項３に記載のタービン翼。
【請求項８】
前記ポート（５７）の前記口および前記後方打撃凹所（５６）の前記口は両方とも円形の形状を含む、請求項３に記載のタービン翼。
【請求項９】
前記第１側面および前記第２側面は前記流路（４０）の対向側面を含み、
前記第１側面は前記エーロフォイル（２５）の正圧側外壁（２６）および負圧側外壁（２７）の１つを含み、
前記第２側面はキャンバ線リブ（６２）を含み、
前記キャンバ線リブ（６２）は波形プロファイルを含み、前記波形プロファイルでは前記キャンバ線リブ（６２）は少なくとも１つの連続的に形成された前後動する「Ｓ字」形状を含む、請求項３に記載のタービン翼。
【請求項１０】
前記第１側面および前記第２側面は前記流路（４０）の隣接側面を含み、
前記第１側面は正圧側外壁（２６）および負圧側外壁（２７）の１つを含み、
前記第２側面は横リブ（６０）を含む、請求項３に記載のタービン翼。
【請求項１１】
前縁および後縁に沿って接続され、かつそれらの間に冷却材の流れを受け入れるための径方向に延びるチャンバを形成する、凹状正圧側外壁（２６）および凸状負圧側外壁（２７）によって画定されるエーロフォイル（２５）を備えたタービン翼であって、
前記タービン翼は、
前記チャンバを仕切りかつ第１側面および第２側面を有する流路（４０）を画定するリブ構成
をさらに備え、
前記第１側面はポート（５７）を含み、前記ポート（５７）は、前記第１側面の表面に口を画定し、かつ前記第１側面の壁を直線状に貫通して延び、かつ中心軸線（５８）を画定し、
前記第２側面は後方打撃凹所（５６）を含み、前記後方打撃凹所（５６）は、前記第２側面の表面に口を画定し、かつ前記第２側面の壁内に底まで延び、
前記ポート（５７）の前記中心軸線（５８）に沿った前記ポート（５７）の前記口の断面形状の投射は、前記流路（４０）の前記第２側面の打撃領域を画定し、
前記後方打撃凹所（５６）の前記口は、前記第２側面に画定された打撃領域に対応する、タービン翼。
【請求項１２】
前記後方打撃凹所（５６）の前記口は前記ポート（５７）の前記口よりわずかに大きい面積を含み、
前記後方打撃凹所（５６）の前記口は前記打撃領域を中心に同心円状に配設され、
前記後方打撃凹所（５６）は底を有する急斜面の陥凹を含み、前記床は湾曲した凹面形状を有する、請求項１１に記載のタービン翼。
【請求項１３】
前縁および後縁に沿って接続され、かつそれらの間に冷却材の流れを受け入れるための径方向に延びるチャンバを形成する、凹状正圧側外壁（２６）および凸状負圧側外壁（２７）によって画定されるエーロフォイル（２５）を備えたタービン翼であって、
前記タービン翼は、
前記チャンバを仕切りかつ第１側面および第２側面を有する流路（４０）を画定するリブ構成
をさらに備え、
前記第１側面はコレクティブ軸線に沿って間隔を置いて配置されたポート（５７）を含み、
各ポート（５７）はそこに画定された中心軸線（５８）を含み、前記中心軸線（５８）は、前記流路（４０）を跨いで投射されたときに、前記流路（４０）の前記第２側面上に打撃点を画定し、
前記第２側面は、各打撃点を含むように配置された１つ以上の後方打撃凹所（５６）を含む、タービン翼。
【請求項１４】
前記１つ以上の後方打撃凹所（５６）は、前記ポート（５７）の前記コレクティブ軸線と平行に延びる溝を含み、
前記後方打撃凹所（５６）の前記溝の幅は、前記ポート（５７）の各々の前記口の幅よりわずかに大きくなるように構成された、請求項１３に記載のタービン翼。
【請求項１５】
前記第１側面は少なくとも１０個の径方向に間隔を置いて配置されたポート（５７）を含み、
前記ポート（５７）の前記コレクティブ軸線は略直線状であり、かつ径方向に向けられ、
前記１つ以上の後方打撃凹所（５６）は径方向に向けられた連続直線状溝を含む、請求項１３に記載のタービン翼。
【請求項１６】
前記後方打撃凹所（５６）の前記溝は、急勾配の側面および湾曲した凹面状の底を含む、請求項１３に記載のタービン翼。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
入力光と相互作用し、特定の分析対象の存在に応じて、前記入力光のスペクトル分布を非対称に変更するよう構成される分析対象特定検知材料と、
前記変更された入力光を検知し、前記入力光の前記スペクトル分布の中心に対する、前記特定の分析対象の存在に応じた、前記変更された入力光のスペクトル分布の中心の移動に関する情報を含む少なくとも１つの電気信号を生成するよう設定される検出器と、を含むシステム。
【請求項２】
前記分析対象特定検知材料が、前記入力光を生成する光源の照明スペクトルに対して非中心である吸収スペクトルを有する、請求項１に記載のシステム。
【請求項３】
前記分析対象特定検知材料が、前記入力光を生成する光源の照明スペクトルに対して非中心である蛍光発光スペクトルを有する、請求項１に記載のシステム。
【請求項４】
分析器が前記変更された入力光の前記中心の前記移動の大きさを判定するよう設定される、請求項１に記載のシステム。
【請求項５】
前記分析対象特定検知材料が前記検出器側に位置する、請求項１に記載のシステム。
【請求項６】
前記入力光が発光装置により生成され、
前記分析対象特定検知材料が前記発光装置側に位置する、請求項１に記載のシステム。
【請求項７】
前記入力光が発光装置により生成され、
光導波路が前記発光装置と前記検出器との間に配置され、
前記分析対象特定検知材料が前記光導波路上に位置する、請求項１に記載のシステム。
【請求項８】
前記入力光を提供するよう配置された発光装置をさらに含み、
前記発光装置から発光される光のスペクトルが移動して、前記入力光を生成する、請求項１に記載のシステム。
【請求項９】
前記入力光を提供するよう配置された発光装置をさらに含み、
前記発光装置から発光される光のスペクトルが蛍光体により移動して、前記入力光を生成する、請求項１に記載のシステム。
【請求項１０】
前記分析対象特定検知材料が、前記入力光と相互作用するよう構成される分析対象特定材料のアレイを含み、前記分析対象特定材料がそれぞれ、前記分析対象特定材料にそれぞれ関連する特定の分析対象の存在に応じて、前記入力光のスペクトル分布を非対称に変更するよう構成され、
前記検出器が、前記特定の分析対象の存在に応じた、前記入力光の前記スペクトル分布の中心に対する、前記変更された入力光の前記中心のそれぞれの移動を判定するよう設定される、請求項１に記載のシステム。
【請求項１１】
発光装置のアレイをさらに含み、各発光装置が特定の分析対象特定材料に関連する光を発光する、請求項１０に記載のシステム。
【請求項１２】
各発光装置により発光される前記光のスペクトルが移動して、特定の分析対象特定検知材料に関する前記入力光を生成する、請求項１１に記載のシステム。
【請求項１３】
入力光と相互作用し、外部刺激の存在に応じて、前記入力光のスペクトル分布を非対称に変更するよう構成される検知材料と、
前記変更された入力光を検知し、前記入力光の前記スペクトル分布の中心に対する、前記変更された入力光のスペクトル分布の中心の移動に関する情報を含む少なくとも１つの電気信号を生成するよう設定される検出器と、を含むシステム。
【請求項１４】
前記検出器が、前記変更された入力光のスペクトル分布の中心の移動量を決定するよう構成されている、請求項１３に記載のシステム。
【請求項１５】
前記検知材料が、前記入力光を生成する光源の照明スペクトルに対して非中心である吸収スペクトルを有する、請求項１３に記載のシステム。
【請求項１６】
前記検知材料が、前記入力光を生成する光源の照明スペクトルに対して非中心である蛍光発光スペクトルを有する、請求項１３に記載のシステム。
【請求項１７】
前記検出器が、位置依存型光検出装置を含む、請求項１３に記載のシステム。
【請求項１８】
前記検出器が、線形可変フィルタおよび分割ダイオード検出装置を含む、請求項１３に記載のシステム。
【請求項１９】
検知材料を入力光と相互作用させるステップであって、前記検知材料が、外部刺激の存在に応じて、前記入力光のスペクトル分布を非対称に変更するものであるステップと、
前記変更された入力光を検知するステップと、
前記入力光の前記スペクトル分布の中心に対する、前記変更された入力光のスペクトル分布の中心の移動に関する情報を含む少なくとも１つの電気信号を生成するステップと、を含む方法。
【請求項２０】
前記変更された入力光の前記中心の前記移動の大きさを判定するステップをさらに含む、請求項１９に記載の方法。
【請求項２１】
前記外部刺激が分析対象を含む、請求項１９に記載の方法。
【請求項２２】
前記外部刺激が電磁場を含む、請求項１９に記載の方法。
【請求項２３】
前記外部刺激が温度を含む、請求項１９に記載の方法。
【請求項２４】
前記外部刺激がガス濃度を含む、請求項１９に記載の方法。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
データを表示する表示部を備えた携帯端末であって、
ユーザの操作を受け付け可能なキーボードを前記データに重ねて前記表示部に表示する表示手段と、
前記表示部に表示されたキーボードと、前記表示部を操作するユーザの指示部との相対的な位置を検出する検出手段と、
を備え、
前記表示手段は、前記検出手段により検出された前記位置に応じて、前記データに重ねて表示される前記キーボードを透過された状態で表示する、又は前記キーボードを非表示にすることを特徴とする携帯端末。
【請求項２】
前記検出手段は、前記表示部に表示されたキーボードと、前記表示部に触れていない前記ユーザの指示部との相対的な位置を検出することを特徴とする請求項１に記載の携帯端末。
【請求項３】
前記表示手段は、前記表示部を操作するユーザの指示部が、前記表示部から所定の距離以内まで近づいたときには、前記検出手段により検出された前記位置に応じて、前記データに重ねて表示された前記キーボードを透過された状態で表示する、又は前記キーボードを非表示にすることを特徴とする請求項１又は２に記載の携帯端末。
【請求項４】
前記表示手段は、前記検出手段により検出された前記位置が、前記表示部を操作するユーザの指示部が前記キーボードの上部の位置である場合には、前記キーボードを透過させずに表示することを特徴とする請求項１乃至３の何れか１項に記載の携帯端末。
【請求項５】
前記表示手段は、前記検出手段により検出された前記位置が、前記表示部を操作するユーザの指示部が前記キーボードの上部の位置ではない場合には、前記キーボードを透過された状態で表示する、又は前記キーボードを非表示にすることを特徴とする請求項１乃至４の何れか１項に記載の携帯端末。
【請求項６】
前記表示手段により前記表示部に表示された前記キーボードに重ねられたデータがあるかを判定する判定手段を備え、
前記表示手段は、前記判定手段により、前記表示手段により前記表示部に表示された前記キーボードに重ねられたデータがあると判定されたことを条件に、前記キーボードを透過された状態で表示する、又は前記キーボードを非表示にすることを特徴とする請求項１乃至５の何れか１項に記載の携帯端末。
【請求項７】
前記表示手段は、前記判定手段により、前記表示手段により前記表示部に表示された前記キーボードに重ねられたデータがないと判定されたことを条件に、前記キーボードを透過させずに表示することを特徴とする請求項６に記載の携帯端末。
【請求項８】
前記表示手段により前記表示部に表示された前記キーボードを透過された状態で表示する、又は前記キーボードを非表示にするか、前記キーボードを透過させずに表示するかを、前記ユーザの前記指示部により前記表示部を介して選択されることで決定する第１の動作モードと、前記検出手段により検出された前記位置に応じて、前記データに重ねて表示された前記キーボードを透過された状態で表示する又は前記キーボードを非表示にするか否かを決定する第２の動作モードと、を含む動作モードのうち、いずれかの動作モードを選択する選択手段を備え、
前記表示手段は、前記選択手段により選択された動作モードで、前記表示手段により前記表示部に表示される前記キーボードの表示制御を行うことを特徴とする請求項１乃至７の何れか１項に記載の携帯端末。
【請求項９】
前記選択手段は、前記表示手段により前記表示部に表示された前記キーボードに重ねられた文字数に応じて、前記第１の動作モード、又は前記第２の動作モードの何れかを選択することを特徴とする請求項８に記載の携帯端末。
【請求項１０】
データを表示する表示部を備えた携帯端末の制御方法であって、
表示手段が、ユーザの操作を受け付け可能なキーボードを前記データに重ねて前記表示部に表示する表示工程と、
検出手段が、前記表示部に表示されたキーボードと、前記表示部を操作するユーザの指示部との相対的な位置を検出する検出工程と、
を備え、
前記表示工程は、前記検出工程により検出された前記位置に応じて、前記データに重ねされて表示される前記キーボードを透過された状態で表示する、又は前記キーボードを非表示にすることを特徴とする制御方法。
【請求項１１】
データを表示する表示部を備えた携帯端末で実行可能なプログラムであって、
前記携帯端末を、
ユーザの操作を受け付け可能なキーボードを前記データに重ねて前記表示部に表示する表示手段と、
前記表示部に表示されたキーボードと、前記表示部を操作するユーザの指示部との相対的な位置を検出する検出手段として機能させ、
前記表示手段は、前記検出手段により検出された前記位置に応じて、前記データに重ねて表示される前記キーボードを透過された状態で表示する、又は前記キーボードを非表示にすることを特徴とするプログラム。
【手続補正２】
【補正対象書類名】明細書
【補正対象項目名】００１５
【補正方法】変更
【補正の内容】
【００１５】
本発明は、データを表示する表示部を備えた携帯端末であって、ユーザの操作を受け付け可能なキーボードを前記データに重ねて前記表示部に表示する表示手段と、前記表示部に表示されたキーボードと、前記表示部を操作するユーザの指示部との相対的な位置を検出する検出手段と、を備え、前記表示手段は、前記検出手段により検出された前記位置に応じて、前記データに重ねて表示される前記キーボードを透過された状態で表示する、又は前記キーボードを非表示にすることを特徴とする。
【手続補正３】
【補正対象書類名】明細書
【補正対象項目名】００１６
【補正方法】変更
【補正の内容】
【００１６】
また、本発明は、データを表示する表示部を備えた携帯端末の制御方法であって、表示手段が、ユーザの操作を受け付け可能なキーボードを前記データに重ねて前記表示部に表示する表示工程と、検出手段が、前記表示部に表示されたキーボードと、前記表示部を操作するユーザの指示部との相対的な位置を検出する検出工程と、を備え、前記表示工程は、前記検出工程により検出された前記位置に応じて、前記データに重ねされて表示される前記キーボードを透過された状態で表示する、又は前記キーボードを非表示にすることを特徴とする。
【手続補正４】
【補正対象書類名】明細書
【補正対象項目名】００１７
【補正方法】変更
【補正の内容】
【００１７】
また、本発明は、データを表示する表示部を備えた携帯端末で実行可能なプログラムであって、前記携帯端末を、ユーザの操作を受け付け可能なキーボードを前記データに重ねて前記表示部に表示する表示手段と、前記表示部に表示されたキーボードと、前記表示部を操作するユーザの指示部との相対的な位置を検出する検出手段として機能させ、前記表示手段は、前記検出手段により検出された前記位置に応じて、前記データに重ねて表示される前記キーボードを透過された状態で表示する、又は前記キーボードを非表示にすることを特徴とする。
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
位置情報を供給し、画像情報が供給される機能を有する入出力装置と、前記位置情報が供給され、前記画像情報を供給する機能を有する演算装置と、を有し、
前記入出力装置は、位置入力部および表示部を備え、
前記位置入力部は、第１の領域と、前記第１の領域に対向する第２の領域と、前記第１の領域および前記第２の領域の間に第３の領域と、が形成されるように折り曲げることができる可撓性を備え、
前記表示部は、前記第１の領域、前記第２の領域、または前記第３の領域の少なくとも一部と重なるように配置され、
前記演算装置は、演算部および前記演算部が実行するプログラムを記憶する記憶部を備え、
前記位置情報を基に前記画像情報を前記表示部に供給する機能を有することを特徴とする情報処理装置。
【請求項２】
近接するものまたは接触するものを検知する機能を有する検知部を有する入力装置と、前記検知部上の近接動作または接触動作を判断する機能を有する演算部と、可撓性を有する表示装置と、を有し、
前記入力装置の複数の領域で同時期に所定の近接動作または接触動作が行われた場合に、所定の処理を行う機能を有することを特徴とする情報処理装置。
【請求項３】
近接するものまたは接触するものを検知する機能を有する検知部を有する入力手段と、画像を表示する機能を有する表示部を有する表示手段と、を有し、前記検知部と前記表示部が重畳する情報処理装置の駆動方法であって、
近接または接触が一定時間検知された前記検知部上の第１の領域を検知し、
前記第１の領域と重畳する前記表示部上の第２の領域に画像信号を供給しないことを特徴とする情報処理装置の駆動方法。
【請求項４】
請求項３において、
前記第２の領域が黒表示であることを特徴とする情報処理装置の駆動方法。
【請求項５】
近接するものまたは接触するものを検知する機能を有する検知部を有する入力手段と、
前記検知部上の近接動作または接触動作を判断する機能を有する演算部と、
近接または接触が一定時間連続して検知された前記検知部上の領域を検知して、
前記近接動作または前記接触動作を判断する対象から前記領域を除外することを特徴とする情報処理装置の駆動方法。
【請求項６】
請求項３乃至請求項５のいずれか一において、
前記表示部は可撓性を有することを特徴とする情報処理装置の駆動方法。
【請求項７】
請求項５において、
前記検知部と重畳する表示部を有することを特徴とする情報処理装置の駆動方法。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
３次元モデル化オブジェクトを設計するためのコンピュータ実装方法であって、
３次元シーンにおいて前記３次元モデル化オブジェクトを提供するステップと、
現在の作業平面を定義する平面状のグラフィカルツール（ＰＳＧＴ）を表示するステップと、
ポインティング要素（ＰＥ）を用いて前記平面状のグラフィカルツール（ＰＳＧＴ）をポイントし、アクティブ化するステップと、
前記ポインティング要素（ＰＥ）を放さずに、前記３次元モデル化オブジェクトの一部の上に乗せるステップと、
前記ポインティング要素（ＰＥ）を放すとき、前記３次元モデル化オブジェクトの前記一部を選択するステップと、
前記ポインティング要素の現在の位置で前記選択されたオブジェクトから作業平面を取り出し、前記平面を前記平面状のグラフィカルツール（ＰＳＧＴ）によって表される前記現在の作業平面として定義するステップと、
現在の作業平面で設計動作を行うステップと
を含むことを特徴とするコンピュータ実装方法。
【請求項２】
前記平面状のグラフィカルツール（ＰＳＧＴ）は、前記ポインティング要素（ＰＥ）を放すまで、異なる表現を用いて、アクティブ化されるとき、選択グラフィカルツール（ＳＧＴ）に変換される
ことを特徴とする請求項１に記載のコンピュータ実装方法。
【請求項３】
前記選択グラフィカルツール（ＳＧＴ）は、部分的に透明である
ことを特徴とする請求項２に記載のコンピュータ実装方法。
【請求項４】
前記一部の作業平面を取り出し、前記平面を、前記平面状のグラフィカルツール（ＰＳＧＴ）によって表される現在の作業平面として定義するステップは、前記ポインティング要素の現在の位置で前記オブジェクトに垂直な平面を使用する
ことを特徴とする請求項１から３のいずれか一項に記載のコンピュータ実装方法。
【請求項５】
コンピュータシステムに、請求項１乃至４のいずれか一項の３次元モデル化オブジェクトを設計するための方法を実行させるコンピュータ実行可能命令を有する
ことを特徴とするコンピュータ可読記憶媒体。
【請求項６】
コンピュータシステムに、請求項１乃至４のいずれか一項の３次元モデル化オブジェクトを設計するための方法を実行させるためのコードを含む
ことを特徴とするコンピュータプログラム。
【請求項７】
請求項１乃至４のいずれか一項の３次元モデル化オブジェクトを設計するための方法を実行する装置。